(57)【要約】【課題】正常なタッチ入力によるレベル指令信号であるときにのみ当該レベル指令信号に応じた加熱条件レベルを設定できて、誤検知による加熱条件レベルの急激な変更設定を防止できるようにする。【解決手段】レベル指令入力装置２７Ａはタッチ入力部２８Ａに対する接触位置に応じたレベル指令信号Ｖａ〜Ｖｋを発生する。制御回路４９は、加熱動作中に、レベル指令信号Ｖａ〜Ｖｋの入力があった時点からの経過時間を計測し、この計測時間が所定時間に達する前に前記レベル指令信号の入力が停止したことをもって、当該レベル指令信号が正常であると判断し、正常が判断されたことを条件に当該レベル指令信号Ｖａ〜Ｖｋに応じて加熱条件レベルを設定する。【選択図】図１
2008112686.tif 000002
【特許請求の範囲】
【請求項１】
上面の開口にトッププレートを備えると共に、このトッププレートの下方に加熱手段を備えた調理器本体と、
前記トッププレートの上面に設けられてユーザーの手指の接触位置変更が可能な所定領域のタッチ入力部を有すると共に、このタッチ入力部の下方部に複数の検知電極を有し、このタッチ入力部に対する接触位置に応じたレベル指令信号を発生するタッチ式のレベル指令入力手段と、
前記加熱手段の加熱動作中に、前記レベル指令入力手段からレベル指令信号の入力があるか否かを判断し、該レベル指令信号の入力があった時点からの経過時間を計測し、この計測時間が所定時間に達する前に前記レベル指令信号の入力が停止したことをもって、当該レベル指令信号が正常であると判断する信号判断手段と、
この信号判断手段により正常が判断されたことを条件に当該レベル指令信号に応じて加熱条件レベルを設定するレベル設定制御手段と、
このレベル設定制御手段により設定された加熱条件レベルで前記加熱手段を制御する加熱制御手段と
を備えたことを特徴とする加熱調理器。
【請求項２】
加熱条件レベルは加熱強度レベルであることを特徴とする請求項１に記載の加熱調理器。
【請求項３】
加熱条件レベルは加熱温度レベルであることを特徴とする請求項１に記載の加熱調理器。
【請求項４】
レベル表示手段を備え、
信号判断手段は、レベル指令入力手段によるレベル指令信号の入力があった時点で、当該レベル指令信号に応じた加熱条件レベルを前記レベル表示手段に変更表示させることを特徴とする請求項１に記載の加熱調理器。
【請求項５】
信号判断手段は、計測時間が所定時間を経過してもレベル指令信号の入力が停止しないときには、異常と判定し、異常対応処理を実行することを特徴とする請求項１に記載の加熱調理器。
【請求項６】
レベル表示手段と、報知手段とを備え、
信号判断手段は、レベル指令信号の入力があった時点で、当該レベル指令信号に応じた加熱条件レベルを前記レベル表示手段に変更表示させ、計測時間が所定時間を経過してもレベル指令信号の入力が停止しないときには、タッチ入力部の水濡れなどの異常発生と判定して前記報知手段に報知させ、前記レベル表示手段の表示を変更前の表示状態に戻すことを特徴とする請求項１に記載の加熱調理器。
【請求項７】
報知手段を備え、
信号判断手段は、計測時間が所定時間を経過してもレベル指令信号の入力が停止しないときには、タッチ入力部の水濡れなどの異常発生と判定して前記報知手段に報知動作を行わせ、その後、レベル指令信号の入力が停止した時点から、予め定められた規定時間を経過するまでは前記異常報知動作を継続することを特徴とする請求項１に記載の加熱調理器。
【請求項８】
報知手段を備え、
信号判断手段は、計測時間が所定時間を経過してもレベル指令信号の入力が停止しないときには、タッチ入力部の水濡れなどの異常発生と判定して前記報知手段に報知動作を行わせ、その後、レベル指令信号の入力が停止した時点から、予め定められた規定時間を経過するまでは、レベル指令信号が再度入力しても加熱条件レベルの変更を禁止することを特徴とする請求項１に記載の加熱調理器。
【請求項９】
報知手段を備え、
信号判断手段は、加熱手段の加熱動作中以外でも、レベル指令入力手段からレベル指令信号の入力があるか否かを判断し、該レベル指令信号の入力があった時点からの経過時間を計測し、この計測時間が所定時間を超えても該レベル指令信号の入力が停止しないときには、異常と判定し、異常対応処理を実行することを特徴とすることを特徴とする請求項１に記載の加熱調理器。
【請求項１０】
レベル表示手段とを備え、
信号判断手段は、加熱手段の加熱動作中に、レベル指令信号の入力が一つであるか複数であるかを判断し、一つのレベル指令信号の入力があったときには、この時点からの経過時間を計測し、この計測時間が所定時間に達する前に前記レベル指令信号の入力が停止したことをもって、当該レベル指令信号が正常であると判断し、且つ、前記レベル表示手段に当該加熱条件レベルを変更表示させ、複数のレベル指令信号の入力があったときには、前記レベル表示手段に対する変更表示をせず、前記計測時間が所定時間を超えて該複数のレベル指令信号の入力が停止されないときには、異常と判定し、異常対応処理を実行することを特徴とする請求項１に記載の加熱調理器。
【請求項１１】
タッチ式のレベル指令入力手段以外に、単一タッチ入力部をトッププレート上面に有すると共に該トッププレート下方に単一電極を有して単一指令信号を発生する複数のタッチ式の単一指令入力手段を備え、且つ、この複数の単一指令入力手段に加熱停止のための停止用単一指令入力手段を含み、
前記停止用単一指令入力手段以外の単一指令入力手段について、単一指令信号が入力しても該時点から所定時間を超えて該単一指令信号の入力が停止しないときには、当該単一指令信号の入力は受け付けないようにしたことを特徴とする請求項１に記載の加熱調理器。
【請求項１２】
タッチ式のレベル指令入力手段以外に、単一タッチ入力部をトッププレート上面に有すると共に該トッププレート下方に単一電極を有して単一指令信号を発生する複数のタッチ式の単一指令入力手段を備え、且つ、この複数の単一指令入力手段に加熱停止のための停止用単一指令入力手段を含み、
前記停止用単一指令入力手段について、単一指令信号が入力したときには、直ちに加熱手段の加熱動作を停止するようにしたことを特徴とする請求項１に記載の加熱調理器。
【請求項１３】
信号判断手段は、レベル指令信号の電気量を所定の基準値で判断することによりレベル指令信号入力有りと判断すると共に、該レベル指令信号の電気量の変化に基づいてレベル指令信号入力停止を判断するものであり、レベル指令信号入力を検出しないままにレベル指令信号発生入力停止を検出したときには、前記基準値を変更するようにしたことを特徴とする請求項１に記載の加熱調理器。
【請求項１４】
タッチ式のレベル指令入力手段以外に、単一タッチ入力部をトッププレート上面に有して単一指令信号を発生する複数のタッチ式の単一指令入力手段を備え、
報知手段を備え、
信号判断手段は、計測時間が所定時間を経過してもレベル指令信号又は単一指令信号の入力が停止しないときには、タッチ入力部又は単一タッチ入力部の水濡れなどの異常発生と判定して前記報知手段に報知動作を行わせ、その後、レベル指令信号又は単一指令信号が停止した時点から、予め定められた規定時間を経過するまでは前記異常報知動作を実行し、
前記レベル指令入力手段及び単一指令入力手段に応じて、前記所定時間及び規定時間のうち少なくとも前記所定時間を異ならせることを特徴とする請求項１に記載の加熱調理器。
【請求項１５】
タッチ式のレベル指令入力手段以外に、単一タッチ入力部をトッププレート上面に有して単一指令信号を発生する複数のタッチ式の単一指令入力手段を備え、
報知手段を備え、
信号判断手段は、計測時間が所定時間を経過してもレベル指令信号の入力が停止しないときには、タッチ入力部又は単一タッチ入力部の水濡れなどの異常発生と判定して前記報知手段に報知動作を行わせ、その後、レベル指令信号の入力が停止した時点から、予め定められた規定時間を経過するまでは、レベル指令信号又は単一指令信号が発生しても加熱条件レベルの変更や単一指令の変更を禁止し、
前記レベル指令入力手及び単一指令入力手段に応じて、前記所定時間及び規定時間のうち少なくとも前記所定時間を異ならせることを特徴とする請求項１に記載の加熱調理器。
【発明の詳細な説明】
【技術分野】
【０００１】
本発明は、トッププレート上にタッチ入力部を備えた加熱調理器に関する。
【背景技術】
【０００２】
加熱調理器には、調理器本体の上面の開口にトッププレートを備えると共に、このトッププレートの下方に加熱手段を備えた構成のものがある。そして、上記トッププレート上にタッチ入力部を備えた加熱調理器として、例えば特許文献１に示されるものがある。この特許文献１には、一つのタッチ入力部に対して一つの検知電極を備えると共に、一つの接触検知手段を備えた構成である。この構成では、ユーザーの手指が前記タッチ入力部に触れると、検知電極の対人体検知容量（静電容量）が変化し、この変化を接触検知手段で検知することによりユーザーから入力があったことを検知する。
【特許文献１】特開２００５−３８７３９号公報
【発明の開示】
【発明が解決しようとする課題】
【０００３】
ところで、ユーザーからの入力としては、電源の入り・切りであったり、調理メニューの選択であったり、あるいは加熱強度や加熱温度などの加熱条件レベルであったり複数種類がある。この場合、上記加熱条件レベルを入力するために、アップ用のタッチ入力部と、ダウン用のタッチ入力部とを設けている。このものでは、手指をアップ用のタッチ入力部またはダウン用のタッチ入力部に接触させて離したときに、加熱条件レベルを一段アップあるいはダウンさせるようになっている。
【０００４】
しかし、これでは、ユーザーが希望する加熱条件レベルを指定するのに、直接指定することができず、入力操作回数が多くなって入力操作が面倒であるという問題がある。
この対策として、加熱条件レベルを希望する加熱条件レベルに指定できるようにするために、トッププレートの上面にユーザーの手指の接触位置変更が可能な所定領域のタッチ入力部を有すると共に、このタッチ入力部の下方部に複数の検知電極を有し、このタッチ入力部に対する接触位置に応じたレベル指令信号を発生するレベル指令入力手段を設けることを考えている。
【０００５】
これによれば、ユーザーがタッチ入力部の任意位置に接触すれば、この接触位置に応じた加熱条件レベルを直接的に指定することができる。しかし、加熱動作中に、このタッチ入力部が水に濡れて、これを手指接触検知と誤検知した場合に、加熱条件レベルが急に大きく変更されるおそれがある。ちなみに、特許文献１に記載された構成の場合、加熱条件設定用であるアップ用のタッチ入力部とダウン用のタッチ入力部が水に濡れたとしても（タッチ入力有りと誤検知しても）、加熱条件レベルは１段アップあるいはダウンするのみであるから、さほど問題はないが、前述したタッチ式のレベル指令入力手段では、いきなり、高い加熱条件レベル、あるいは低い加熱条件レベルが誤設定されるおそれがある。
【０００６】
本発明は上述の事情に鑑みてなされたものであり、その目的は、直接的に希望する加熱条件レベルを指定可能なタッチ式のレベル指令入力手段を備えることで、入力操作の簡単化を図り、且つ、正常なタッチ入力によるレベル指令信号であるときにのみ当該レベル指令信号に応じた加熱条件レベルを設定できて、誤検知による加熱条件レベルの急激な変更設定を防止できる加熱調理器を提供することにある。
【課題を解決するための手段】
【０００７】
本発明は、上面の開口にトッププレートを備えると共に、このトッププレートの下方に加熱手段を備えた調理器本体と、前記トッププレートの上面に設けられてユーザーの手指の接触位置変更が可能な所定領域のタッチ入力部を有すると共に、このタッチ入力部の下方部に複数の検知電極を有し、このタッチ入力部に対する接触位置に応じたレベル指令信号を発生するタッチ式のレベル指令入力手段と、前記加熱手段の加熱動作中に、前記レベル指令入力手段からレベル指令信号の入力があるか否かを判断し、該レベル指令信号の入力があった時点からの経過時間を計測し、この計測時間が所定時間に達する前に前記レベル指令信号の入力が停止したことをもって、当該レベル指令信号が正常であると判断する信号判断手段と、この信号判断手段により正常が判断されたことを条件に当該レベル指令信号に応じて加熱条件レベルを設定するレベル設定制御手段と、このレベル設定制御手段により設定された加熱条件レベルで前記加熱手段を制御する加熱制御手段とを備えたところに特徴を有する。
【０００８】
この発明において、トッププレートの上面に設けられてユーザーの手指の接触位置変更が可能な所定領域のタッチ入力部を有すると共に、このタッチ入力部の下方部に複数の検知電極を有し、このタッチ入力部に対する接触位置に応じたレベル指令信号を発生するタッチ式のレベル指令入力手段を備えているから、直接的に希望する加熱条件レベルを指定することができて、入力操作の簡単化を図り得る。
【０００９】
さらに、信号判断手段が、レベル指令信号の入力があった時点からの経過時間を計測し、この計測時間が所定時間に達する前に前記レベル指令信号の入力が停止したことをもって、当該レベル指令信号が正常であると判断するから、タッチ入力部にユーザーの手指の接触があったことによる正常なタッチ入力であるか、タッチ入力部が水に濡れたことによる誤検知であるかを判定することが可能となる。つまり、ユーザーの手指の接触による正常なタッチ入力であれば、ユーザーはすぐに手指をタッチ入力部から離すことで前記計測時間が短いうちにレベル指令信号の入力が停止し、水濡れである場合には、前記計測時間がかなり長くなってもレベル指令信号の入力は停止しない。そして、レベル指令信号が正常であると判断されると、設定制御手段が、当該レベル指令信号に応じた加熱条件レベルを設定するから、ユーザーの手指接触による適正なタッチ入力のみによって、当該レベル指令信号に応じた加熱条件レベルを設定できて、誤検知による加熱条件レベルの急激な加熱条件レベルの変更設定を防止できる
【発明の効果】
【００１０】
本発明によれば、加熱条件レベルについての入力操作の簡単化を図り得、且つ、正常なタッチ入力によるレベル指令信号であるときにのみ当該レベル指令信号に応じた加熱条件レベルを設定できて、誤検知による加熱条件レベルの急激な変更設定を防止できる。
【発明を実施するための最良の形態】
【００１１】
以下、本発明をシステムキッチンに組み込まれる加熱調理器に適用した第１の実施例を図１〜図１０を参照しながら説明する。図２には、キッチンキャビネット１に、加熱調理器２が組み込まれた状態の外観斜視図が示されている。また、図３は、トッププレートを外した状態で示す調理器本体３の平面図である。加熱調理器２の調理器本体３は、キャビネット１に設けられた開口４に落とし込み状態に組み込まれている。この調理器本体３の下部には、ロースタ部５が設けられている。
【００１２】
前記調理器本体３は、図３に示すように、上面が開口しており、内部の手前側に加熱手段としての二つの誘導加熱コイル８、９が設けられ、また中央奥部に別の加熱手段として例えばラジエントヒータからなるヒータ１０が設けられている。また、この調理器本体３内には、主回路基板１１が配設されており、この主回路基板１１には、多数の加熱強度表示用の発光ダイオード１２Ａ群と１２Ｂ群とが左右に分けて実装されていると共に、例えば蛍光表示管からなる表示器１３が実装され、タイマー表示器１４Ａ、メニュー調理表示器１５Ａと、タイマー表示器１４Ｂ、メニュー調理表示器１５Ｂとがほぼ左右対称配置形に実装されている。
【００１３】
図３及び図６に示すように、前記調理器本体３の開口３ａの周縁部にはフランジ部３ｂが設けられており、このフランジ部３ｂが前記キャビネット１の開口４の縁部に配置されている。
【００１４】
さらに、図２、図４、図６に示すように、前記調理器本体３の上面には、開口３ａを覆うように、つまり前記誘導加熱コイル８、９及びヒータ１０を上方から覆うように、耐熱ガラス製のトッププレート１６が設けられている。この場合、このトッププレート１６の周縁部１６ａは調理器本体３より外側（前後方向及び左右方向）へ張り出しており、前記フランジ部３ｂにより支えられている。このトッププレート１６において、左右の誘導加熱コイル８、９及びヒータ１０の上方に対応する部位はそれぞれ円形の加熱部１７、１８、１９とされている。表示部１７ａ、１８ａ、１９ａの内部領域が加熱部１７、１８、１９に相当する。
【００１５】
前記トッププレート１６において、加熱部１７、１８の前側には、図４に示すように、それぞれレベル表示手段としてのレベル表示部２０Ａ、２０Ｂが設けられている。レベル表示部２０Ａは、前記発光ダイオード１２Ａ群と、温度表示部２１Ａと、加熱強度表示部２２Ａとから構成されている。またレベル表示部２０Ｂは、温度表示部２１Ｂと、加熱強度表示部２２Ｂとから構成されている。
【００１６】
また、前記トッププレート１６において前側部分のほぼ中央部には、タイマー表示部２３Ａ、２３Ｂ、オート調理表示部２４Ａ、２４Ｂが左右対称配置形に設けられている。タイマー表示部２３Ａは、前記表示器１４Ａと表示パネル部２５Ａとから構成されている。タイマー表示部２３Ｂも同様に、前記表示器１４Ｂと表示パネル部２５Ｂとから構成されている。オート調理表示部２４Ａは、前記表示器１５Ａと表示パネル２６Ａとから構成されている。オート調理表示部２４Ｂも、前記表示器１５Ｂと表示パネル２６Ｂとから構成されている。なお、タイマー表示部２３Ａ、２３Ｂは報知手段も兼用している。
【００１７】
さらに、トッププレート１６の前縁部上面にはレベル指令入力装置２７Ａ、２７Ｂ（レベル指令入力手段）のタッチ入力部２８Ａ、２８Ｂ、単一指令入力装置２９Ａ〜３２Ａ、２９Ｂ〜３２Ｂ（単一指令入力手段）の単一タッチ入力部３３Ａ〜３６Ａ、３３Ｂ〜３６Ｂが形成されている。
【００１８】
誘導加熱コイル８の制御に係わるレベル指令入力装置２７Ａ、単一指令入力装置２９Ａ〜３２Ａと、誘導加熱コイル９の制御に係わるレベル指令入力装置２７Ｂ、単一指令入力装置２９Ｂ〜３２Ｂとは基本的にそれぞれ同じ構成であるので、以下、レベル指令入力装置２７Ａ、単一指令入力装置２９Ａ〜３２Ａについて説明する。まず、レベル指令入力装置２７Ａについて説明する。
【００１９】
該レベル指令入力装置２７Ａの前記タッチ入力部２８Ａは、図４、図７に示すように、手指の接触位置を任意に変更できる長さの領域（所定領域）を有する形態に、つまり長尺形態に、トッププレート１６上に印刷膜により形成されている。
前記トッププレート１６の前縁部下面側には、図５、図６に示すように、電極基板３７が誘電体３８を介して配設されており、この電極基板３７の上面には前記タッチ入力部２８Ａに対応して多数（複数）の検知電極３９ａ〜３９ｋが設けられている。
【００２０】
この検知電極３９ａ〜３９ｋは、図６に示すように、それぞれスルーホール及び導体部を介して電極基板３７下面側のコネクタ４０に接続されている。このコネクタ４０は検出回路基板４１が接続されている。この検出回路基板４１と前記主回路基板１１とはハーネスコネクタ４２により接続されている。前記電極基板３７、検出回路基板４１及び前記主回路基板１１には図１に示す回路が構成されている。
【００２１】
この図１には、誘導加熱コイル８に関する概略的な電気的構成を示している。この図１において、レベル指令入力装置２７Ａは、発振回路４２と、この発振回路４２から発振出力がそれぞれ与えられる個別検出回路４３ａ〜４３ｋとを備えて構成されている。個別検出回路４３ａ〜４３ｋは、それぞれ前記検知電極３９ａ〜３９ｋに対するタッチ入力を検出するための回路であり、基本的に同一構成であるので、個別検出回路４３ａについて説明する。この個別検出回路４３ａは、コンデンサ４４と、検知電極３９ａと、接触検知回路４５とを有して構成されている。前記発振回路４２の発振出力は前記コンデンサ４４、検知電極３９ａ及び前記コネクタ４０を介して接触検知回路４５の入力端子に与えられるようになっている。
【００２２】
接触検知回路４５は、ダイオード４６と、抵抗４７とチャージコンデンサ４８とを有した構成である。接触検知回路４５の入力端子であるダイオード４６のアノードは検知電極３９ａに前記コネクタ４０を介して接続され、カソードとアースとの間に前記抵抗４７とチャージコンデンサ４８とが並列に接続され、出力端子であるカソードとチャージコンデンサ４８の接続点が前記ハーネスコネクタ４２を介して制御回路４９に接続されている。
【００２３】
個別検出回路４３ａ〜４３ｋの最終段出力信号Ｖａ〜Ｖｋ（いずれかの接触検出回路４５の出力電圧信号）はレベル指令信号たるものあり、この最終段出力信号Ｖａ〜Ｖｋ（以下レベル指令信号Ｖａ〜Ｖｋという）は制御回路４９に与えられる。
【００２４】
この制御回路４９は、信号判断手段、設定制御手段、表示制御手段及び加熱制御手段として機能し、マイクロコンピュータを含んで構成されている。
タッチ入力部２８Ａにおいて、検知電極３９ａ〜３９ｋのいずれかに対応した位置部分に、人体の手指が接触すると、人体と検知電極３９ａ〜３９ｋのいずれかが静電容量結合するものである（人体と検知電極３９ａ〜３９ｋのいずれかとの間の静電容量が変化して微弱電流が流れる）。これにより、図８（ａ）に示すように、個別検出回路４３ａ〜４３ｋのレベル指令信号Ｖａ〜Ｖｋの電気量（出力電圧値）が変化（低下）し、制御回路４９は、このレベル指令信号Ｖａ〜Ｖｋの電気量が基準値Ｋ以下になったか否かを判断し、以下となったことをもって、レベル指令信号Ｖａ〜Ｖｋの入力有りと判断する（入力判断処理）。そして、レベル指令信号Ｖａ〜Ｖｋに応じて加熱条件レベル（加熱時間レベル又は加熱強度レベル）の指令レベルが判断される。例えば、左側のレベル指令信号Ｖａが最も低いレベルを指令するものであり、レベル指令信号Ｖｂ、Ｖｃ、・・・Ｖｋと移行するにつれて、高レベル指令と判断する。
【００２５】
そして、レベル指令信号Ｖａ〜Ｖｋが基準変化幅ΔＫ以上、上昇すると、これをもってレベル指令信号Ｖａ〜Ｖｋの入力が停止したと判断する（入力停止判断処理）。
また、図８（ｂ）に示すように、タッチ入力部２８Ａに対する人体の手指の接触が不十分であった場合には、レベル指令信号Ｖａ〜Ｖｋの電気量が基準値Ｋ以下とならずに、その後、手指を離すことにより基準変化幅ΔＫ以上に変化することがある。つまり、レベル指令信号入力を検出しないままにレベル指令信号発生入力停止を検出することがある。この場合、制御回路４９は、前記基準値Ｋをやや高め（レベル指令信号入力を検出しやすい方向）に変更するようにしている。
【００２６】
図４において、単一指令入力装置２９Ａは左側の誘導加熱コイル８による加熱開始／停止用、単一指令入力装置３０Ａは左側の誘導加熱コイル８による加熱の時間設定用、単一指令入力装置３１Ａは誘導加熱コイル８に対する各種設定取消し用、単一指令入力装置３２Ａは誘導加熱コイル８に対するオート調理選択用である。これら単一指令入力装置２９Ａ〜３２Ａ、２９Ｂ〜３２Ｂは、同じ構成であるので、単一指令入力装置２９Ａ〜３２Ａについて説明する。
【００２７】
これら単一指令入力装置２９Ａ〜３２Ａは、図１に示すように、単一タッチ入力部３３Ａ〜３６Ａに対応して前記電極基板３７上面（トッププレート１６下方）に単一電極３３ＡＤ〜３６ＡＤを備えており、この単一電極３３ＡＤ〜３６ＡＤは前記検知電極３９ａ〜３９ｋと同じ構成である。そして、これら単一指令入力装置２９Ａ〜３２Ａの電気回路構成は、図１に示すように、前記個別検出回路４３ａ〜４３ｋと同じ構成であるので、同一構成部分に同一符号を付して詳細な説明を省略する。但し、各最終段出力信号Ｖ２９ａ〜Ｖ３２ａは、単一指令信号たるものであり、以下単一指令信号Ｖ２９ａ〜Ｖ３２ａという。この単一指令信号Ｖ２９ａ〜Ｖ３２ａも前記制御回路４９に与えられるものであり、この制御回路４９では、これら単一指令信号Ｖ２９ａ〜Ｖ３２ａの入力有り、及び入力停止を、前述の図８（ａ）と同様の基準値Ｋ、基準変化幅ΔＫによって判断するようになっている。なお、前記制御回路４９には、誘導加熱コイル８を駆動制御するために、インバータ制御回路８Ｄ及びインバータ８Ｉが接続されている。また、図２に示すように加熱調理器２の前面には、電源スイッチ５０が設けられており、この電源スイッチ５０が投入されると、図１に示す前記制御回路４９及びその他の各回路に制御電源及び駆動電源が与えられるようになっている。
【００２８】
なお、調理条件レベルとしては、加熱温度レベルと、加熱強度レベルとがあり、「天ぷら」が調理メニューとして選択されると、調理条件は加熱温度が設定対象となり、「通常加熱」が調理メニューとして選択されると、調理条件は加熱強度が設定対象となる。
【００２９】
さて、前記制御回路４９の制御内容（誘導加熱コイル８を使用した調理に関連する制御及びレベル指令入力装置２７Ａに関連する制御）について図９のフローチャートを参照して説明する。このフローチャートは電源スイッチ５０のオンによってスタートする。ステップＳ１では、誘導加熱コイル８が加熱動作中であるか否かを判断し、加熱動作中でなければ、ステップＳ２で、レベル指令信号Ｖａ〜Ｖｋについての入力判断処理を実行する。この入力判断処理は既述したように、図８（ａ）の基準値Ｋと基準変化幅ΔＫを用いて行うものである。次のステップＳ３では、入力が有ったか否かを判断し、入力が有ればステップＳ４に移行して、所定時間Ｔｓ経過前に入力停止したか否かを判断する。入力停止が有ったと判断すると、ステップＳ５に移行して、予め定められた設定処理（レベル表示やレベル設定など）を実行してステップＳ１に戻る。
【００３０】
前記ステップＳ４で、所定時間Ｔｓ経過後入力停止が無いと判断すると、前記ステップＳ６で異常判定を行い、ステップＳ７で、異常対応処理として、タイマー表示部２３Ａにエラー表示をすることで異常報知を行なう。
【００３１】
ここで、前記ステップＳ１で加熱動作中であれば、ステップＳ８に移行し、レベル指令信号Ｖａ〜Ｖｋについての入力判断処理を実行し、ステップＳ９で、レベル指令信号Ｖａ〜Ｖｋのいずれかの入力が有ったか否かを判断する。いずれかからの入力が有れば、ステップＳ１０に移行してレベル表示部２０Ａに、図１０（ａ）に示すよう、レベル指令信号Ｖａ〜Ｖｋのうち入力有りと判断されたレベル指令信号に応じた加熱条件レベルを既設定表示Ｈ１に変えて表示する（新表示Ｈ２とする）。この場合、既述したように、「天ぷら」が調理メニューとして選択されると、加熱条件レベルは加熱温度が設定対象となり、「通常加熱」が調理メニューとして選択されると、加熱条件レベルは加熱強度が設定対象となる。
【００３２】
次のステップＳ１１では、所定時間Ｔｓ経過前に入力停止したか否かを判断する。入力停止が有ったと判断すると、ステップＳ１２に移行して、入力されてレベル指令信号は、ユーザーの手指によるタッチ入力であって、正常であると判断し、ステップＳ１３では、この時点で設定されていた加熱条件レベルを、図１０（ａ）に示すように、当該レベル指令信号に応じた加熱条件レベルを設定変更する。そして、この設定変更された加熱条件レベルで誘導加熱コイル８を制御する。前記ステップＳ１１の「ＹＥＳ」〜ステップＳ１２〜ステップＳ１３のルーチンによる表示形態及び加熱条件レベル形態の変化は前述の図１０（ａ）のようになる。
【００３３】
また、前記ステップＳ１１で所定時間Ｔｓを経過しても入力停止がないと判断されると、ステップＳ１５に移行して、タッチ入力部２８Ａに対する水濡れなどの異常を判定し、ステップＳ１６でレベル表示を変更前の表示に戻し（図１０（ｂ）参照）、ステップＳ１７で予め定められた報知時間Ｔｈ（図１０（ｂ）参照）で異常報知する。このステップＳ１１の「ＮＯ」〜ステップＳ１５〜ステップＳ１６〜ステップＳ１７のルーチンによる表示形態及び加熱条件レベル形態の変化は図１０（ｂ）のようになる。この場合、前記レベル指令信号Ｖａ〜Ｖｋの入力停止は水の拭き取りなどによることが多い。
【００３４】
なお、上述の制御は、誘導加熱コイル９に関連する制御についても同様に行うものである。
このような本実施例によれば、トッププレート１６の上面に設けられてユーザーの手指の接触位置変更が可能な所定領域のタッチ入力部２８Ａを有すると共に、このタッチ入力部２８Ａの下方部に複数の検知電極３９ａ〜３９ｋを有し、このタッチ入力部２８Ａに対する接触位置に応じたレベル指令信号を発生するタッチ式のレベル指令入力装置２７Ａを備えているから、直接的に希望する加熱条件レベルを指定することができて、入力操作の簡単化を図り得る。
【００３５】
さらに、本実施例によれば、制御回路４９における信号判断機能（信号判断手段）により、レベル指令信号Ｖａ〜Ｖｋの入力があった時点からの経過時間を計測し、この計測時間が所定時間Ｔｓに達する前に該レベル指令信号の入力が停止したことをもって、当該レベル指令信号が正常であると判断するから、タッチ入力部２８Ａにユーザーの手指の接触があったことによる正常なタッチ入力であるか、タッチ入力部が水に濡れたことによる誤検知であるかを判定することができる。そして、レベル指令信号が正常であると判断されると、制御回路４９における設定制御機能（設定制御手段）が、当該レベル指令信号に応じた加熱条件レベルを設定するから、ユーザーの手指接触による適正なタッチ入力のみによって、当該レベル指令信号に応じた加熱条件レベルを設定できて、誤検知による加熱条件レベルの急激な加熱条件レベルの変更設定を防止できる。
【００３６】
さらに本実施例によれば、レベル表示部２０Ａを備え、制御回路４９における信号判断機能により、レベル指令信号の入力があった時点で、当該レベル指令信号に応じた加熱条件レベルをレベル表示部２０Ａに変更表示させるから、ユーザーがタッチ入力部２８Ａに手を触れたときに、素早く加熱条件レベルの表示を変更できて、便利である。
【００３７】
また、本実施例によれば、制御回路４９における信号判断機能により、計測時間が所定時間Ｔｓを経過してもレベル指令信号Ｖａ〜Ｖｋの入力が停止しないときには、異常と判定し、異常報知（異常対応処理）を実行するから、タッチ入力部が水に濡れたことなどによる誤検知を判定して、異常に対応できる。
【００３８】
また、この場合、計測時間が所定時間Ｔｓを経過してもレベル指令信号の入力が停止しないときには、タッチ入力部の水濡れなどの異常発生と判定して報知し、レベル表示部２０Ａの表示を変更前の表示状態に戻すから、水濡れの異常をユーザーに知らせることができると共に、異常事態における表示を迅速に元に戻すことができる。
【００３９】
また、本実施例によれば、加熱動作中以外でも、レベル指令信号Ｖａ〜Ｖｋの入力があるか否かを判断し、該レベル指令信号Ｖａ〜Ｖｋの入力があった時点からの経過時間を計測し、この計測時間が所定時間Ｔｓを超えても該レベル指令信号Ｖａ〜Ｖｋの入力が停止しないときには、異常と判定し、異常対応処理を実行するから、加熱動作開始前でも、正常なタッチ入力であるか、タッチ入力部が水に濡れたことによる誤検知であるかを判定することができる。
【００４０】
また、本実施例によれば、レベル指令信号Ｖａ〜Ｖｋの電気量を所定の基準値Ｋで判断することによりレベル指令信号Ｖａ〜Ｖｋ入力有りと判断すると共に、該レベル指令信号Ｖａ〜Ｖｋの電気量の変化に基づいてレベル指令信号入力Ｖａ〜Ｖｋ停止を判断し、レベル指令信号Ｖａ〜Ｖｋ入力を検出しないままにレベル指令信号発生Ｖａ〜Ｖｋ入力停止を検出したときには、前記基準値Ｋを変更するようにしたから、タッチ入力の検知精度を向上でき、ひいては誤検知の判断精度も向上する。
【００４１】
図１１は本発明の第２の実施例に関するものであり、レベル指令信号Ｖａ〜Ｖｋの入力が停止した時点ｔａから、規定時間Ｔｃが経過するまでは異常報知を継続するようにしている。この第２の実施例によれば、ユーザーが拭き取る動作をしている最中に異常報知（この場合異常表示）が不安定になることを防止することができる。
【００４２】
図１２は本発明の第３の実施例に関するものであり、レベル指令信号Ｖａ〜Ｖｋの入力が停止した時点ｔａから、規定時間Ｔｃが経過するまではレベル指令信号が再度入力しても加熱条件レベルの変更を禁止するようにしている。この第３の実施例によれば、ユーザーが拭き取る動作をしている最中に不用意に加熱条件レベルが変更されることがない。
【００４３】
本発明は、上記した各実施例に限定されず、次のように変更して実施しても良い。
［１］制御回路４９における信号判断手段が、加熱手段の加熱動作中に、レベル指令信号Ｖａ〜Ｖｋの入力が一つであるか複数であるか否かを判断し、一つのレベル指令信号の入力があったときには、この時点からの経過時間を計測し、この計測時間が所定時間Ｔｓに達する前に前記レベル指令信号の入力が停止したことをもって、当該レベル指令信号が正常であると判断し、且つ、前記レベル表示手段に当該加熱条件レベルを変更表示させ、複数のレベル指令信号の入力があったときには、レベル表示部２０Ａに対する変更表示をせず、前記計測時間が所定時間Ｔｓを超えて該複数のレベル指令信号の入力が停止されないときには、異常と判定して、異常対応処理を実行するようにしても良い。このようにすると、複数のレベル指令信号の入力があったことをもって、水濡れなどの異常を判断でき、異常報知などの異常対応処理を実行することができる。
【００４４】
［２］複数の単一指令入力装置２９Ａ〜３２Ａのうち、加熱停止のための停止用単一指令入力手段である単一指令入力装置２９Ａ以外の単一指令入力装置３０Ａ〜３２Ａについて、単一指令信号Ｖ３０〜Ｖ３２が入力しても該時点から所定時間Ｔｓを超えて該単一指令信号Ｖ３０〜Ｖ３２の入力が停止しないとき（つまり水濡れなどによる誤検知）には、当該単一指令信号Ｖ３０〜Ｖ３２の入力は受け付けないようにしても良い。このようにすると、加熱動作中、加熱停止以外の単一指令入力装置３０Ａ〜３２Ａについて誤検知があったときに、不要な設定などを防止できて誤動作を防止できる。
【００４５】
［３］また、前記停止用単一指令入力手段である単一指令入力装置２９Ａについて、単一指令信号Ｖ２９が入力したときには、直ちに誘導加熱コイル８の加熱動作を停止するようにしても良い。このようにすると、単一指令入力装置２９Ａについて水濡れなどの誤検知があったときには即座に加熱動作を停止できて、安全である。
【００４６】
［４］前記第２の実施例（図１１）では、レベル指令入力装置２７Ａのレベル指令信号Ｖａ〜Ｖｋの入力が停止した時点ｔａから、規定時間Ｔｃが経過するまでは異常報知を継続するようにしたが、単一指令入力装置２９Ａ〜３２Ａの単一指令信号Ｖ２９〜Ｖ３２についても、当該信号Ｖ２９〜Ｖ３２の入力が停止した時点ｔａから、規定時間Ｔｃが経過するまでは異常報知を継続するようにしても良く、この場合、レベル指令入力装置２７Ａ及び単一指令入力装置２９Ａ〜３２Ａに応じて、前記所定時間Ｔｓ及び規定時間Ｔｃのうち少なくとも前記所定時間Ｔｓを異ならせるようにすると良い。例えば、ユーザーの操作が比較的明確で簡単なレベル指令入力装置２７Ａについての所要時間Ｔｓは３秒とし、ユーザーの操作が長くなり勝ちな加熱の時間設定用の単一指令入力装置３０Ａについての所定時間Ｔｓは２０秒とするようにしても良く、使い勝手が良い。また、さらに異常報知の重要度などに応じて規定時間Ｔｃを異ならせるようにしても良い。
【００４７】
［５］前記第３の実施例（図１２）では、レベル指令入力装置２７Ａのレベル指令信号Ｖａ〜Ｖｋの入力が停止した時点ｔａから、規定時間Ｔｃが経過するまではレベル指令信号が再度入力しても加熱条件レベルの変更を禁止するようにしたが、単一指令入力装置２９Ａ〜３２Ａの単一指令信号Ｖ２９〜Ｖ３２についても、計測時間が所定時間Ｔｓを経過してもレベル指令信号の入力が停止しないときには、タッチ入力部又は単一タッチ入力部の水濡れなどの異常発生と判定して前記報知手段に報知動作を行わせ、その後、レベル指令信号の入力が停止した時点から、予め定められた規定時間を経過するまでは、レベル指令信号又は単一指令信号が発生しても加熱条件レベルの変更や単一指令の変更を禁止するようにしても良い。この場合、レベル指令入力装置２７Ａ及び単一指令入力装置２９Ａ〜３２Ａに応じて、前記所定時間Ｔｓ及び規定時間Ｔｃのうち少なくとも前記所定時間Ｔｓを異ならせるようにすると良い。
【００４８】
［６］なお、この異常対応処理としては、上記異常報知以外にも、レベル変更を受け付けない、加熱動作停止、加熱強度や加熱温度の低下などの処理であっても良い。また、報知手段としてブザーや音声出力装置を備えて、ブザー音の出力や、音声案内による報知でも良い。また、検知電極の個数も適宜変更できる。
【図面の簡単な説明】
【００４９】
【図１】本発明の第１の実施例を示し、誘導加熱コイルに関する電気的構成のブロック図
【図２】加熱調理器をキッチンキャビネットに組み込んで示す斜視図
【図３】トッププレートを省略して示す平面図
【図４】トッププレートの前側部分の平面図
【図５】検知電極部分の平明図
【図６】トッププレートの前側部分の縦断側面図
【図７】タッチ入力部の部分的拡大平面図
【図８】（ａ）はレベル指令信号の入力判断を説明するための波形図、（ｂ）は基準値変更を説明するための波形図
【図９】制御内容のフローチャート
【図１０】（ａ）は正常状況を説明するためのタイムチャート、（ｂ）は異常状況を説明するためのタイムチャート
【図１１】本発明の第２の実施例を示す図１０（ｂ）相当図
【図１２】本発明の第３の実施例を示す図１０（ｂ）相当図
【符号の説明】
【００５０】
図面中、１はキッチンキャビネット、２は加熱調理器、３は調理器本体、８、９は誘導加熱コイル（加熱手段）、１０はヒータ（加熱手段）、１１は主回路基板、１６はトッププレート、１７、１８、１９は加熱部、２０Ａ、２０Ｂはレベル表示部（レベル表示手段）、２７Ａ、２７Ｂはレベル指令入力装置（レベル指令入力手段）、２８Ａ、２８Ｂはタッチ入力部、２９Ａ〜３２Ａ、２９Ｂ〜３２Ｂは単一指令入力装置（単一指令入力手段）、３３ＡＤ〜３６ＡＤは単一電極、３９ａ〜３９ｋは検知電極、４３ａ〜４３ｋは個別検出回路、４５は接触検知回路、４９は制御回路（信号判断手段、レベル設定制御手段、加熱制御手段）を示す。
【図１】
2008112686.tif 000003
【図２】
2008112686.tif 000004
【図３】
2008112686.tif 000005
【図４】
2008112686.tif 000006
【図５】
2008112686.tif 000007
【図６】
2008112686.tif 000008
【図７】
2008112686.tif 000009
【図８】
2008112686.tif 000010
【図９】
2008112686.tif 000011
【図１０】
2008112686.tif 000012
【図１１】
2008112686.tif 000013
【図１２】
2008112686.tif 000014